(57)【要約】  ユーザ装置は、第１のＲＡＴ及び第２のＲＡＴを使用して基地局装置と通信を行い、前記ユーザ装置がサポートするバンドコンビネーションの候補となるバンドを示す第１の情報を前記基地局装置から受信する受信部と、前記第１の情報に基づいて、前記第１のＲＡＴで使用されるバンド及び前記第２のＲＡＴで使用されるバンドを含むバンドコンビネーションが先頭に含まれるリストを含む第２の情報を含む端末能力情報を生成する生成部と、生成された前記端末能力情報を前記基地局装置に送信する送信部とを有するユーザ装置。
2019146542.tif 000002
【特許請求の範囲】
【請求項１】
第１のＲＡＴ及び第２のＲＡＴを使用して基地局装置と通信を行うユーザ装置であって、
前記ユーザ装置がサポートするバンドコンビネーションの候補となるバンドを示す第１の情報を前記基地局装置から受信する受信部と、
前記第１の情報に基づいて、前記第１のＲＡＴで使用されるバンド及び前記第２のＲＡＴで使用されるバンドを含むバンドコンビネーションが先頭に含まれるリストを含む第２の情報を含む端末能力情報を生成する生成部と、
生成された前記端末能力情報を前記基地局装置に送信する送信部とを有するユーザ装置。
【請求項２】
前記第１の情報に基づいて、前記第１のＲＡＴで使用されるバンドから構成される第１のリスト及び前記第２のＲＡＴで使用されるバンドから構成される第２のリストが生成され、前記第１のリスト及び前記第２のリストに基づいて、前記第２の情報が生成される請求項１記載のユーザ装置。
【請求項３】
前記第２の情報は、前記第１のリストのバンドの順が優先されて生成される請求項２記載のユーザ装置。
【請求項４】
前記第２の情報は、前記第２のリストのバンドの順が優先されて生成される請求項２記載のユーザ装置。
【請求項５】
前記第２の情報は、前記第１のリストのバンドと前記第２のリストのバンドとが、交互に優先されて生成される請求項２記載のユーザ装置。
【請求項６】
第１のＲＡＴ及び第２のＲＡＴを使用してユーザ装置と通信を行う基地局装置であって、
前記ユーザ装置がサポートするバンドコンビネーションの候補となるバンドを示す第１の情報を前記ユーザ装置に送信する送信部と、
前記第１の情報に基づいて、前記第１のＲＡＴで使用されるバンド及び前記第２のＲＡＴで使用されるバンドを含むバンドコンビネーションが先頭に含まれるリストを含む第２の情報を含む端末能力情報を前記ユーザ装置から受信する受信部と、
受信された前記端末能力情報に基づいて、前記ユーザ装置との通信を制御する管理部とを有する基地局装置。
【発明の詳細な説明】
【技術分野】
【０００１】
本発明は、無線通信システムにおけるユーザ装置及び基地局装置に関する。
【背景技術】
【０００２】
現在、３ＧＰＰ（Third Generation Partnership Project）において、ＬＴＥ（Long Term Evolution）システム及びＬＴＥ−Ａｄｖａｎｃｅｄシステムの後継として、ＮＲ（New Radio Access Technology）システムと呼ばれる新たな無線通信システムの仕様策定が進められている（例えば非特許文献１）。【０００３】
ＮＲシステムでは、ＬＴＥシステムにおけるデュアルコネクティビティと同様に、ＬＴＥシステムの基地局（ｅＮＢ）とＮＲシステムの基地局（ｇＮＢ）との間でデータを分割し、これらの基地局によってデータを同時送受信する、ＬＴＥ−ＮＲデュアルコネクティビティ又はマルチＲＡＴ（Multi Radio Access Technology）デュアルコネクティビティ（以下、「ＭＲ−ＤＣ」という。）と呼ばれる技術の導入が検討されている（例えば非特許文献２）。
【先行技術文献】
【非特許文献】
【０００４】
【非特許文献１】３ＧＰＰ  ＴＲ  ３８．８０４  Ｖ１４．０．０（２０１７−０３）
【非特許文献２】３ＧＰＰ  ＴＳ  ３７．３４０  Ｖ１５．０．０（２０１７−１２）
【発明の概要】
【発明が解決しようとする課題】
【０００５】
ＭＲ−ＤＣにおいて、Ｅ−ＵＴＲＡ（Evolved Universal Terrestrial Radio Access）で規定されるバンド及びＮＲで規定されるバンドが混在したリストが、ユーザ装置に通知される。ユーザ装置は、当該リストからユーザ装置がサポートするバンドコンビネーションを基地局装置に通知する。ここで、Ｅ−ＵＴＲＡで規定されるバンド及びＮＲで規定されるバンドが混在したリストからは、必ずしもＭＲ−ＤＣに適用されるバンドコンビネーションが生成されるとは限らなかった。【０００６】
上述した問題点を鑑み、本発明の課題は、複数のＲＡＴを利用する無線通信システムで実行されるデュアルコネクティビティに適用可能であるバンドコンビネーションの通知を行う技術を提供することである。
【課題を解決するための手段】
【０００７】
開示の技術によれば、第１のＲＡＴ及び第２のＲＡＴを使用して基地局装置と通信を行うユーザ装置であって、前記ユーザ装置がサポートするバンドコンビネーションの候補となるバンドを示す第１の情報を前記基地局装置から受信する受信部と、前記第１の情報に基づいて、前記第１のＲＡＴで使用されるバンド及び前記第２のＲＡＴで使用されるバンドを含むバンドコンビネーションが先頭に含まれるリストを含む第２の情報を含む端末能力情報を生成する生成部と、生成された前記端末能力情報を前記基地局装置に送信する送信部とを有するユーザ装置が提供される。
【発明の効果】
【０００８】
開示の技術によれば、複数のＲＡＴを利用する無線通信システムで実行されるデュアルコネクティビティに適用可能であるバンドコンビネーションの通知を行うことができる。
【図面の簡単な説明】
【０００９】
【図１】本発明の実施の形態に係る無線通信システムの構成例である。
【図２】本発明の実施の形態に係るユーザ装置２００が基地局装置１００に能力通知を行うシーケンス図である。
【図３】ＭＲ−ＤＣにおけるバンドコンビネーションの生成例を示す図である。
【図４】本発明の実施の形態に係るＭＲ−ＤＣにおけるバンドコンビネーションを生成する手順を説明するためのフローチャートである。
【図５】本発明の実施の形態に係るＭＲ−ＤＣにおけるバンドコンビネーションの生成例（１）を示す図である。
【図６】本発明の実施の形態に係るＭＲ−ＤＣにおけるバンドコンビネーションの生成例（２）を示す図である。
【図７】本発明の実施の形態に係るＭＲ−ＤＣにおけるバンドコンビネーションの生成例（３）を示す図である。
【図８】本発明の実施の形態に係るＭＲ−ＤＣにおけるバンドコンビネーションの生成例（４）を示す図である。
【図９】本発明の実施の形態に係るＭＲ−ＤＣにおけるバンドコンビネーションの生成例（５）を示す図である。
【図１０】本発明の実施の形態に係る基地局装置１００の機能構成の一例を示す図である。
【図１１】本発明の実施の形態に係るユーザ装置２００の機能構成の一例を示す図である。
【図１２】本発明の実施の形態に係るユーザ装置１００及び基地局２００のハードウェア構成の一例を示す図である。
【発明を実施するための形態】
【００１０】
以下、図面に基づいて本発明の実施の形態を説明する。
【００１１】
図１は、本発明の実施の形態に係る無線通信システムの構成例である。図１は、本発明の一実施例による無線通信システムを示す概略図である。
【００１２】
図１に示されるように、ユーザ装置２００は、ＬＴＥシステム及びＮＲシステムによって提供される基地局装置１００Ａ、基地局装置１００Ｂ（以降、基地局装置１００Ａと基地局装置１００Ｂを区別しない場合「基地局装置１００」として参照されてもよい。）と通信接続すると共に、基地局装置１００Ａをマスタ基地局とし、基地局装置１００Ｂをセカンダリ基地局とするＬＴＥ−ＮＲデュアルコネクティビティ、すなわちＭＲ−ＤＣをサポートする。すなわち、ユーザ装置２００は、マスタ基地局装置１００Ａ及びセカンダリ基地局装置１００Ｂにより提供される複数のコンポーネントキャリアを同時に利用して、マスタ基地局装置１００Ａ及びセカンダリ基地局装置１００Ｂと同時送信又は同時受信を実行することが可能である。なお、図示された実施例では、ＬＴＥシステム及びＮＲシステムはそれぞれ１つの基地局しか有していないが、一般に、ＬＴＥシステム及びＮＲシステムのサービスエリアをカバーするよう多数の基地局が配置される。
【００１３】
なお、以下の実施例は、ＬＴＥ−ＮＲデュアルコネクティビティに関して説明されるが、本開示によるユーザ装置は、これに限定されず、異なるＲＡＴを利用した複数の無線通信システムの間のデュアルコネクティビティ、すなわち、ＭＲ−ＤＣに適用可能であることは当業者に容易に理解されるであろう。
【００１４】
図２は、本発明の実施の形態に係るユーザ装置２００が基地局装置１００に端末能力通知を行うシーケンス図である。図２において、基地局装置１００は、端末能力通知要求をユーザ装置２００に送信し、ユーザ装置２００は、当該端末能力通知要求に応答して、端末能力通知を基地局装置１００に送信する。
【００１５】
ステップＳ１において、基地局装置１００は、端末能力通知要求として、ＲＲＣ（Radio Resource Control）メッセージ「ＵＥＣａｐａｂｉｌｉｔｙＥｎｑｕｉｒｙ」をユーザ装置２００に送信する。ＵＥＣａｐａｂｉｌｉｔｙＥｎｑｕｉｒｙは、ユーザ装置２００の無線アクセス能力に関する情報をネットワークで取得するために用いられる。基地局装置１００は、ＵＥＣａｐａｂｉｌｉｔｙＥｎｑｕｉｒｙによって、ユーザ装置２００に通知させる情報に含まれる無線アクセス能力の種別を指定することができる。例えば、基地局装置１００は、ユーザ装置２００がサポートするバンドコンビネーションに係る無線アクセス能力の通知を要求してもよい。さらに、基地局装置１００は、ユーザ装置２００に通知するリスト「ｒｅｑｕｅｓｔｅｄＦｒｅｑＢａｎｄＬｉｓｔ」に含まれるバンドから構成されるユーザ装置２００がサポートするバンドコンビネーションの通知を要求してもよい。
【００１６】
続いて、ステップＳ２において、ユーザ装置２００は、端末能力通知として、ＲＲＣメッセージ「ＵＥＣａｐａｂｉｌｉｔｙＩｎｆｏｒｍａｔｉｏｎ」を基地局装置１００に送信する。ＵＥＣａｐａｂｉｌｉｔｙＩｎｆｏｒｍａｔｉｏｎは、ユーザ装置２００の無線アクセス能力に関する情報をネットワークに通知するために用いられる。ユーザ装置２００は、ステップＳ１で基地局装置１００から受信したＵＥＣａｐａｂｉｌｉｔｙＥｎｑｕｉｒｙに基づいて、ユーザ装置２００がサポートする無線アクセス能力に関する情報を基地局装置１００に送信する。
【００１７】
ステップＳ３において、基地局装置１００は、ステップＳ２でユーザ装置２００から受信したＵＥＣａｐａｂｉｌｉｔｙＩｎｆｏｒｍａｔｉｏｎによる端末能力に適合させた通常の通信を行う。例えば、ステップＳ２でユーザ装置２００から受信したＵＥＣａｐａｂｉｌｉｔｙＩｎｆｏｒｍａｔｉｏｎにサポートされるバンドコンビネーションが含まれていた場合、基地局装置１００は、サポートされるバンドコンビネーションの範囲でスケジューリングを行う。
【００１８】
図３は、ＭＲ−ＤＣにおけるバンドコンビネーションの生成例を示す図である。図３に示されるように、「ｒｅｑｕｅｓｔｅｄＦｒｅｑＢａｎｄＬｉｓｔ」に含まれるバンド及びリストにおけるバンドの順に基づいて、ユーザ装置２００は、サポートするバンドコンビネーションのリスト「ｓｕｐｐｏｒｔｅｄＢａｎｄＣｏｍｂｉｎａｔｉｏｎ」を生成する。
【００１９】
例えば、ユーザ装置２００は、「ｒｅｑｕｅｓｔｅｄＦｒｅｑＢａｎｄＬｉｓｔ」の１番目のバンドと２番目のバンドとのバンドコンビネーションを候補とする。次に１番目のバンドと３番目のバンドとのバンドコンビネーションを候補とする。次に１番目のバンドと４番目のバンドとのバンドコンビネーションを候補とする。次に１番目のバンドと５番目のバンドとのバンドコンビネーションを候補とする。次に１番目のバンドと６番目のバンドとのバンドコンビネーションを候補とする。次に２番目のバンドと３番目のバンドとのバンドコンビネーションを候補とする。次に２番目のバンドと４番目のバンドとのバンドコンビネーションを候補とする。ユーザ装置２００は、上記の順で、「ｓｕｐｐｏｒｔｅｄＢａｎｄＣｏｍｂｉｎａｔｉｏｎ」を生成する。
【００２０】
ここで、図３に示される「ｒｅｑｕｅｓｔｅｄＦｒｅｑＢａｎｄＬｉｓｔ」の場合、１番目から３番目のバンドがいずれもＮＲバンドであるため、ＮＲバンドのみ含むバンドコンビネーションが、「ｓｕｐｐｏｒｔｅｄＢａｎｄＣｏｍｂｉｎａｔｉｏｎ」の先頭に含まれる。ＮＲバンドのみから構成されるバンドコンビネーションは、ＭＲ−ＤＣに適用できないため、本発明の実施の形態においては、Ｅ−ＵＴＲＡバンド及びＮＲバンドを含むバンドコンビネーションが「ｓｕｐｐｏｒｔｅｄＢａｎｄＣｏｍｂｉｎａｔｉｏｎ」の先頭に含まれるバンドコンビネーションの生成方法を提案する。
【００２１】
図４は、本発明の実施の形態に係るＭＲ−ＤＣにおけるバンドコンビネーションを生成する手順を説明するためのフローチャートである。
【００２２】
ステップＳ１１において、ユーザ装置２００は、「ｒｅｑｕｅｓｔｅｄＦｒｅｑＢａｎｄＬｉｓｔ」が、基地局装置１００から通知された「ＵＥＣａｐａｂｉｌｉｔｙＥｎｑｕｉｒｙ」に含まれるか否か判定する。「ｒｅｑｕｅｓｔｅｄＦｒｅｑＢａｎｄＬｉｓｔ」が含まれる場合（Ｓ１１のＹＥＳ）、ステップＳ１２に進み、「ｒｅｑｕｅｓｔｅｄＦｒｅｑＢａｎｄＬｉｓｔ」が含まれない場合（Ｓ１１のＮＯ）、フローを終了する。
【００２３】
ステップＳ１２において、ユーザ装置２００は、「ｒｅｑｕｅｓｔｅｄＦｒｅｑＢａｎｄＬｉｓｔ」に含まれるＮＲ  ｂａｎｄから、ユーザ装置２００がサポートするＮＲ  ＣＡ  ｂａｎｄ  ｃｏｍｂｉｎａｔｉｏｎ又はＮＲ  ｂａｎｄを含む「ＮＲバンドリスト」を作成する。また、ユーザ装置２００は、「ｒｅｑｕｅｓｔｅｄＦｒｅｑＢａｎｄＬｉｓｔ」に含まれるＥ−ＵＴＲＡ  ｂａｎｄから、ユーザ装置２００がサポートするＥ−ＵＴＲＡ  ＣＡ  ｂａｎｄ  ｃｏｍｂｉｎａｔｉｏｎ又はＥ−ＵＴＲＡ  ｂａｎｄを含む「Ｅ−ＵＴＲＡバンドリスト」を作成する。なお、「ＮＲバンドリスト」又は「Ｅ−ＵＴＲＡバンドリスト」におけるバンドの順は、「ｒｅｑｕｅｓｔｅｄＦｒｅｑＢａｎｄＬｉｓｔ」におけるバンドの順が維持されるものとする。
【００２４】
続いて、ユーザ装置２００は、「ｒｅｑｕｅｓｔｅｄＦｒｅｑＢａｎｄＬｉｓｔ」に、Ｅ−ＵＴＲＡ  ｂａｎｄ及びＮＲ  ｂａｎｄの双方が含まれるか否か判定する。双方が含まれる場合（Ｓ１３のＹＥＳ）、ステップＳ１４に進み、いずれか一方のみが含まれる場合（Ｓ１３のＮＯ）、フローを終了する。
【００２５】
ステップＳ１４において、ユーザ装置２００は、ステップＳ１２で作成した「ＮＲバンドリスト」及び「Ｅ−ＵＴＲＡバンドリスト」に基づいて、「ＭＲ−ＤＣ  ｂａｎｄ  ｃｏｍｂｉｎａｔｉｏｎリスト」を作成し、フローを終了する。
【００２６】
なお、ユーザ装置２００は、「ｓｕｐｐｏｒｔｅｄＢａｎｄＣｏｍｂｉｎａｔｉｏｎ」に、上記手順で作成された「ＭＲ−ＤＣ  ｂａｎｄ  ｃｏｍｂｉｎａｔｉｏｎリスト」を先頭として配置し、「ＮＲバンドリスト」又は「Ｅ−ＵＴＲＡバンドリスト」を後方に配置してもよい。
【００２７】
図５は、本発明の実施の形態に係るＭＲ−ＤＣにおけるバンドコンビネーションの生成例（１）を示す図である。図５において、図４に示されるステップＳ１４における「ＮＲバンドリスト」及び「Ｅ−ＵＴＲＡバンドリスト」から「ＭＲ−ＤＣ  ｂａｎｄ  ｃｏｍｂｉｎａｔｉｏｎリスト」を作成するときのバンドの順序の詳細を説明する。
【００２８】
図５に示されるように、ユーザ装置２００は、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の１番目のＥ−ＵＴＲＡ  ＣＡ  ｂａｎｄ  ｃｏｍｂｉｎａｔｉｏｎとを候補とする。次に、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の２番目のＥ−ＵＴＲＡ  ＣＡ  ｂａｎｄ  ｃｏｍｂｉｎａｔｉｏｎとを候補とする。上記のような順で１番目のＮＲ  ＣＡ  ｂａｎｄ  ｃｏｍｂｉｎａｔｉｏｎと「Ｅ−ＵＴＲＡバンドリスト」のバンドとを候補とするように繰り返し、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の最後のＥ−ＵＴＲＡ  ＣＡ  ｂａｎｄ  ｃｏｍｂｉｎａｔｉｏｎとを候補とした次に、「ＮＲバンドリスト」の２番目のＮＲ  ＣＡ  ｂａｎｄ  ｃｏｍｂｉｎａｔｉｏｎと、「Ｅ−ＵＴＲＡバンドリスト」の１番目のＥ−ＵＴＲＡ  ＣＡ  ｂａｎｄ  ｃｏｍｂｉｎａｔｉｏｎとを候補とする。同様に、「Ｅ−ＵＴＲＡバンドリスト」の最後のＥ−ＵＴＲＡ  ＣＡ  ｂａｎｄ  ｃｏｍｂｉｎａｔｉｏｎまで繰り返す。
【００２９】
上記のように、「ＮＲバンドリスト」及び「Ｅ−ＵＴＲＡバンドリスト」から、「ＮＲバンドリスト」ファーストの順で、「ＭＲ−ＤＣ  ｂａｎｄ  ｃｏｍｂｉｎａｔｉｏｎリスト」を作成する。なお、上記の「ＮＲ  ＣＡ  ｂａｎｄ  ｃｏｍｂｉｎａｔｉｏｎ」又は「Ｅ−ＵＴＲＡ  ｂａｎｄ  ｃｏｍｂｉｎａｔｉｏｎ」は、バンドコンビ―ネーションだけでなく、バンドが含まれてもよい。
【００３０】
図６は、本発明の実施の形態に係るＭＲ−ＤＣにおけるバンドコンビネーションの生成例（２）を示す図である。図６において、図４に示されるステップＳ１４における「ＮＲバンドリスト」及び「Ｅ−ＵＴＲＡバンドリスト」から「ＭＲ−ＤＣ  ｂａｎｄ  ｃｏｍｂｉｎａｔｉｏｎリスト」を作成するときのバンドの順序の詳細を説明する。
【００３１】
図６に示されるように、ユーザ装置２００は、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の１番目のＮＲ  ＣＡ  ｂａｎｄ  ｃｏｍｂｉｎａｔｉｏｎとを候補とする。次に、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の２番目のＮＲ  ＣＡ  ｂａｎｄ  ｃｏｍｂｉｎａｔｉｏｎとを候補とする。上記のような順で１番目のＥ−ＵＴＲＡ  ＣＡ  ｂａｎｄ  ｃｏｍｂｉｎａｔｉｏｎと「ＮＲバンドリスト」のバンドとを候補とするように繰り返し、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の最後のＮＲ  ＣＡ  ｂａｎｄ  ｃｏｍｂｉｎａｔｉｏｎとを候補とした次に、「Ｅ−ＵＴＲＡバンドリスト」の２番目のＥ−ＵＴＲＡ  ＣＡ  ｂａｎｄ  ｃｏｍｂｉｎａｔｉｏｎと、「ＮＲバンドリスト」の１番目のＮＲ  ＣＡ  ｂａｎｄ  ｃｏｍｂｉｎａｔｉｏｎとを候補とする。同様に、「ＮＲバンドリスト」の最後のＮＲ  ＣＡ  ｂａｎｄ  ｃｏｍｂｉｎａｔｉｏｎまで繰り返す。
【００３２】
上記のように、「ＮＲバンドリスト」及び「Ｅ−ＵＴＲＡバンドリスト」から、「Ｅ−ＵＴＲＡバンドリスト」ファーストの順で、「ＭＲ−ＤＣ  ｂａｎｄ  ｃｏｍｂｉｎａｔｉｏｎリスト」を作成する。なお、上記の「ＮＲ  ＣＡ  ｂａｎｄ  ｃｏｍｂｉｎａｔｉｏｎ」又は「Ｅ−ＵＴＲＡ  ｂａｎｄ  ｃｏｍｂｉｎａｔｉｏｎ」は、バンドコンビ―ネーションだけでなく、バンドが含まれてもよい。
【００３３】
図７は、本発明の実施の形態に係るＭＲ−ＤＣにおけるバンドコンビネーションの生成例（３）を示す図である。図７において、図４に示されるステップＳ１４における「ＮＲバンドリスト」及び「Ｅ−ＵＴＲＡバンドリスト」から「ＭＲ−ＤＣ  ｂａｎｄ  ｃｏｍｂｉｎａｔｉｏｎリスト」を作成するときのバンドの順序の詳細を説明する。
【００３４】
図７に示されるように、ユーザ装置２００は、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の１番目のＮＲ  ＣＡ  ｂａｎｄ  ｃｏｍｂｉｎａｔｉｏｎとを候補とする。次に、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の２番目のＮＲ  ＣＡ  ｂａｎｄ  ｃｏｍｂｉｎａｔｉｏｎとを候補とする。上記のような順で１番目のＥ−ＵＴＲＡ  ＣＡ  ｂａｎｄ  ｃｏｍｂｉｎａｔｉｏｎと「ＮＲバンドリスト」のバンドとを候補とするように繰り返し、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の最後のＮＲ  ＣＡ  ｂａｎｄ  ｃｏｍｂｉｎａｔｉｏｎとを候補とした次に、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の２番目のＥ−ＵＴＲＡ  ＣＡ  ｂａｎｄ  ｃｏｍｂｉｎａｔｉｏｎとを候補とする。「Ｅ−ＵＴＲＡバンドリスト」の最後のＥ−ＵＴＲＡ  ＣＡ  ｂａｎｄ  ｃｏｍｂｉｎａｔｉｏｎまで繰り返す。
【００３５】
次に、「Ｅ−ＵＴＲＡバンドリスト」の２番目のＥ−ＵＴＲＡ  ＣＡ  ｂａｎｄ  ｃｏｍｂｉｎａｔｉｏｎと、「ＮＲバンドリスト」の２番目のＮＲ  ＣＡ  ｂａｎｄ  ｃｏｍｂｉｎａｔｉｏｎとを候補とする。「ＮＲバンドリスト」の最後のＮＲ  ＣＡ  ｂａｎｄ  ｃｏｍｂｉｎａｔｉｏｎまで繰り返す。
【００３６】
次に、「ＮＲバンドリスト」の２番目のＮＲ  ＣＡ  ｂａｎｄ  ｃｏｍｂｉｎａｔｉｏｎと、「Ｅ−ＵＴＲＡバンドリスト」の３番目のＥ−ＵＴＲＡ  ＣＡ  ｂａｎｄ  ｃｏｍｂｉｎａｔｉｏｎとを候補とする。「Ｅ−ＵＴＲＡバンドリスト」の最後のＥ−ＵＴＲＡ  ＣＡ  ｂａｎｄ  ｃｏｍｂｉｎａｔｉｏｎまで繰り返す。
【００３７】
上記のように、「ＮＲバンドリスト」及び「Ｅ−ＵＴＲＡバンドリスト」から、「Ｅ−ＵＴＲＡバンドリスト」及び「ＮＲバンドリスト」の順で交互に選択して「ＭＲ−ＤＣ  ｂａｎｄ  ｃｏｍｂｉｎａｔｉｏｎリスト」を作成する。なお、上記の「ＮＲ  ＣＡ  ｂａｎｄ  ｃｏｍｂｉｎａｔｉｏｎ」又は「Ｅ−ＵＴＲＡ  ｂａｎｄ  ｃｏｍｂｉｎａｔｉｏｎ」は、バンドコンビ―ネーションだけでなく、バンドが含まれてもよい。
【００３８】
図８は、本発明の実施の形態に係るＭＲ−ＤＣにおけるバンドコンビネーションの生成例（４）を示す図である。図８において、図４に示されるステップＳ１４における「ＮＲバンドリスト」及び「Ｅ−ＵＴＲＡバンドリスト」から「ＭＲ−ＤＣ  ｂａｎｄ  ｃｏｍｂｉｎａｔｉｏｎリスト」を作成するときのバンドの順序の詳細を説明する。
【００３９】
図８に示されるように、ユーザ装置２００は、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の１番目のＥ−ＵＴＲＡ  ＣＡ  ｂａｎｄ  ｃｏｍｂｉｎａｔｉｏｎとを候補とする。次に、「ＮＲバンドリスト」の１番目のＮＲ  ＣＡ  ｂａｎｄ  ｃｏｍｂｉｎａｔｉｏｎと、「Ｅ−ＵＴＲＡバンドリスト」の２番目のＥ−ＵＴＲＡ  ＣＡ  ｂａｎｄ  ｃｏｍｂｉｎａｔｉｏｎとを候補とする。上記のような順で１番目のＮＲ  ＣＡ  ｂａｎｄ  ｃｏｍｂｉｎａｔｉｏｎと「Ｅ−ＵＴＲＡバンドリスト」のバンドとを候補とするように繰り返し、「ＮＲバンドリスト」の１番目のＥ−ＵＴＲＡ  ＣＡ  ｂａｎｄ  ｃｏｍｂｉｎａｔｉｏｎと、「Ｅ−ＵＴＲＡバンドリスト」の最後のＥ−ＵＴＲＡ  ＣＡ  ｂａｎｄ  ｃｏｍｂｉｎａｔｉｏｎとを候補とした次に、「Ｅ−ＵＴＲＡバンドリスト」の１番目のＥ−ＵＴＲＡ  ＣＡ  ｂａｎｄ  ｃｏｍｂｉｎａｔｉｏｎと、「ＮＲバンドリスト」の２番目のＮＲ  ＣＡ  ｂａｎｄ  ｃｏｍｂｉｎａｔｉｏｎとを候補とする。「ＮＲバンドリスト」の最後のＮＲ  ＣＡ  ｂａｎｄ  ｃｏｍｂｉｎａｔｉｏｎまで繰り返す。
【００４０】
次に、「ＮＲバンドリスト」の２番目のＮＲ  ＣＡ  ｂａｎｄ  ｃｏｍｂｉｎａｔｉｏｎと、「Ｅ−ＵＴＲＡバンドリスト」の２番目のＥ−ＵＴＲＡ  ＣＡ  ｂａｎｄ  ｃｏｍｂｉｎａｔｉｏｎとを候補とする。「Ｅ−ＵＴＲＡバンドリスト」の最後のＥ−ＵＴＲＡ  ＣＡ  ｂａｎｄ  ｃｏｍｂｉｎａｔｉｏｎまで繰り返す。
【００４１】
次に、「Ｅ−ＵＴＲＡバンドリスト」の２番目のＥ−ＵＴＲＡ  ＣＡ  ｂａｎｄ  ｃｏｍｂｉｎａｔｉｏｎと、「ＮＲバンドリスト」の３番目のＮＲ  ＣＡ  ｂａｎｄ  ｃｏｍｂｉｎａｔｉｏｎとを候補とする。「ＮＲバンドリスト」の最後のＮＲ  ＣＡ  ｂａｎｄ  ｃｏｍｂｉｎａｔｉｏｎまで繰り返す。
【００４２】
上記のように、「ＮＲバンドリスト」及び「Ｅ−ＵＴＲＡバンドリスト」から、「ＮＲバンドリスト」及び「Ｅ−ＵＴＲＡバンドリスト」の順で交互に選択して「ＭＲ−ＤＣ  ｂａｎｄ  ｃｏｍｂｉｎａｔｉｏｎリスト」を作成する。なお、上記の「ＮＲ  ＣＡ  ｂａｎｄ  ｃｏｍｂｉｎａｔｉｏｎ」又は「Ｅ−ＵＴＲＡ  ｂａｎｄ  ｃｏｍｂｉｎａｔｉｏｎ」は、バンドコンビ―ネーションだけでなく、バンドが含まれてもよい。
【００４３】
図９は、本発明の実施の形態に係るＭＲ−ＤＣにおけるバンドコンビネーションの生成例（５）を示す図である。図９の「Ｎｏｔｅ」に示されるように、「ｒｅｑｕｅｓｔｅｄＦｒｅｑＢａｎｄＬｉｓｔ」の先頭２バンドに、必ず１つのＥ−ＵＴＲＡ  ｂａｎｄと１つのＮＲ  ｂａｎｄとが含まれてもよい。当該「ｒｅｑｕｅｓｔｅｄＦｒｅｑＢａｎｄＬｉｓｔ」を使用することで、図３で説明した方法によって「ｓｕｐｐｏｒｔｅｄＢａｎｄＣｏｍｂｉｎａｔｉｏｎ」を生成した場合であっても、必ずＭＲ−ＤＣ  ｂａｎｄ  ｃｏｍｂｉｎａｔｉｏｎが先頭に含まれる「ｓｕｐｐｏｒｔｅｄＢａｎｄＣｏｍｂｉｎａｔｉｏｎ」をユーザ装置２００は、基地局装置１００に通知することができる。
【００４４】
上述の本発明の実施の形態のように、ユーザ装置２００は、「ｒｅｑｕｅｓｔｅｄＦｒｅｑＢａｎｄＬｉｓｔ」から、「ＮＲバンドリスト」及び「Ｅ−ＵＴＲＡバンドリスト」を抽出して、「ＭＲ−ＤＣ  ｂａｎｄ  ｃｏｍｂｉｎａｔｉｏｎリスト」を生成することができる。ユーザ装置２００は、生成した「ＭＲ−ＤＣ  ｂａｎｄ  ｃｏｍｂｉｎａｔｉｏｎリスト」を使用して、ＭＲ−ＤＣ  ｂａｎｄ  ｃｏｍｂｉｎａｔｉｏｎが先頭に含まれた「ｓｕｐｐｏｒｔｅｄＢａｎｄＣｏｍｂｉｎａｔｉｏｎ」を基地局装置１００に通知することができる。また、基地局装置１００は、「ｒｅｑｕｅｓｔｅｄＦｒｅｑＢａｎｄＬｉｓｔ」の先頭２バンドに、ＮＲバンド及びＥ−ＵＴＲＡバンドを必ず含めることで、ＭＲ−ＤＣ  ｂａｎｄ  ｃｏｍｂｉｎａｔｉｏｎが先頭に含まれた「ｓｕｐｐｏｒｔｅｄＢａｎｄＣｏｍｂｉｎａｔｉｏｎ」をユーザ装置２００から通知されることができる。
【００４５】
すなわち、複数のＲＡＴを利用する無線通信システムで実行されるデュアルコネクティビティに適用可能であるバンドコンビネーションの通知を行うことができる。
【００４６】
（装置構成）
次に、これまでに説明した処理及び動作を実行する基地局装置１００及びユーザ装置２００の機能構成例を説明する。基地局装置１００及びユーザ装置２００はそれぞれ、少なくとも実施例を実施する機能を含む。ただし、基地局装置１００及びユーザ装置２００はそれぞれ、実施例の中の一部の機能のみを備えることとしてもよい。
【００４７】
図１０は、基地局装置１００の機能構成の一例を示す図である。図１０に示されるように、基地局装置１００は、送信部１１０と、受信部１２０と、設定情報管理部１３０と、端末能力管理部１４０とを有する。図１０に示される機能構成は一例に過ぎない。本発明の実施の形態に係る動作を実行できるのであれば、機能区分及び機能部の名称はどのようなものでもよい。
【００４８】
送信部１１０は、ユーザ装置２００側に送信する信号を生成し、当該信号を無線で送信する機能を含む。受信部１２０は、ユーザ装置２００から送信された各種の信号を受信し、受信した信号から、例えばより上位のレイヤの情報を取得する機能を含む。また、送信部１１０は、ユーザ装置２００へＰＳＳ又はＮＲ−ＰＳＳ、ＳＳＳ又はＮＲ−ＳＳＳ、ＰＢＣＨ又はＮＲ−ＰＢＣＨ、ＤＬ／ＵＬ制御信号等を送信する機能を有する。また、送信部１１０は、ユーザ装置２００に端末能力通知要求を行うメッセージ、ＵＬ又はＤＬのスケジューリングを示す情報を送信し、受信部１２０は、ユーザ装置２００から端末能力通知に係るメッセージを受信する。
【００４９】
設定情報管理部１３０は、予め設定される設定情報、及び、ユーザ装置２００に送信する各種の設定情報を格納する。設定情報の内容は、例えば、バンドコンビネーションに関する情報、端末能力に関する情報等である。
【００５０】
端末能力管理部１４０は、実施例において説明した、基地局装置１００におけるユーザ装置２００への端末能力通知要求メッセージ、例えばＵＥＣａｐａｂｉｌｉｔｙＥｎｑｕｉｒｙの送信に係る制御、及びユーザ装置２００からの端末能力通知を受信して、当該端末能力に応じた通信を実行する制御を行う。
【００５１】
図１１は、ユーザ装置２００の機能構成の一例を示す図である。図１１に示されるように、ユーザ装置２００は、送信部２１０と、受信部２２０と、設定情報管理部２３０と、端末能力生成部２４０とを有する。図１１に示される機能構成は一例に過ぎない。本発明の実施の形態に係る動作を実行できるのであれば、機能区分及び機能部の名称はどのようなものでもよい。
【００５２】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、基地局装置１００から送信されるＰＳＳ又はＮＲ−ＰＳＳ、ＳＳＳ又はＮＲ−ＳＳＳ、ＰＢＣＨ又はＮＲ−ＰＢＣＨ、ＤＬ／ＵＬ制御信号等を受信する機能を有する。また、送信部２１０は、基地局装置１００に端末能力通知に係るメッセージを送信し、受信部１２０は、基地局装置１００から端末能力通知要求に関するメッセージ、ＵＬ又はＤＬのスケジューリングを示す情報を受信する。
【００５３】
設定情報管理部２３０は、受信部２２０により基地局装置１００から受信した各種の設定情報を格納する。また、設定情報管理部２３０は、予め設定される設定情報も格納する。設定情報の内容は、例えば、バンドコンビネーションに関する情報、端末能力通知に関する情報等である。
【００５４】
端末能力生成部２４０は、実施例において説明した、ユーザ装置２００から基地局装置１００に送信する端末能力通知メッセージ、例えばＵＥＣａｐａｂｉｌｉｔｙＩｎｆｏｒｍａｔｉｏｎの生成及び送信に係る制御を行う。なお、端末能力生成部２４０における端末能力通知メッセージの送信等に関する機能部を送信部２１０に含め、端末能力生成部２４０における端末能力通知要求メッセージの受信等に関する機能部を受信部２２０に含めてもよい。
【００５５】
（ハードウェア構成）
上述の本発明の実施の形態の説明に用いた機能構成図（図１０及び図１１）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００５６】
また、例えば、本発明の一実施の形態における基地局装置１００及びユーザ装置２００はいずれも、本発明の実施の形態に係る処理を行うコンピュータとして機能してもよい。図１２は、本発明の実施の形態に係る基地局装置１００又はユーザ装置２００である無線通信装置のハードウェア構成の一例を示す図である。上述の基地局装置１００及びユーザ装置２００はそれぞれ、物理的には、プロセッサ１００１、記憶装置１００２、補助記憶装置１００３、通信装置１００４、入力装置１００５、出力装置１００６、バス１００７などを含むコンピュータ装置として構成されてもよい。
【００５７】
なお、以下の説明では、「装置」という文言は、回路、デバイス、ユニットなどに読み替えることができる。基地局装置１００及びユーザ装置２００のハードウェア構成は、図に示した１００１〜１００６で示される各装置を１つ又は複数含むように構成されてもよいし、一部の装置を含まずに構成されてもよい。
【００５８】
基地局装置１００及びユーザ装置２００における各機能は、プロセッサ１００１、記憶装置１００２などのハードウェア上に所定のソフトウェア（プログラム）を読み込ませることで、プロセッサ１００１が演算を行い、通信装置１００４による通信、記憶装置１００２及び補助記憶装置１００３におけるデータの読み出し及び／又は書き込みを制御することで実現される。
【００５９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。
【００６０】
また、プロセッサ１００１は、プログラム（プログラムコード）、ソフトウェアモジュール又はデータを、補助記憶装置１００３及び／又は通信装置１００４から記憶装置１００２に読み出し、これらに従って各種の処理を実行する。プログラムとしては、上述の実施の形態で説明した動作の少なくとも一部をコンピュータに実行させるプログラムが用いられる。例えば、図１０に示した基地局装置１００の送信部１１０、受信部１２０、設定情報管理部１３０、端末能力管理部１４０は、記憶装置１００２に格納され、プロセッサ１００１で動作する制御プログラムによって実現されてもよい。また、例えば、図１１に示したユーザ装置２００の送信部２１０と、受信部２２０と、設定情報管理部２３０、端末能力生成部２４０は、記憶装置１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００６１】
記憶装置１００２は、コンピュータ読み取り可能な記録媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などの少なくとも１つで構成されてもよい。記憶装置１００２は、レジスタ、キャッシュ、メインメモリ（主記憶装置）などと呼ばれてもよい。記憶装置１００２は、本発明の一実施の形態に係る処理を実施するために実行可能なプログラム（プログラムコード）、ソフトウェアモジュールなどを保存することができる。
【００６２】
補助記憶装置１００３は、コンピュータ読み取り可能な記録媒体であり、例えば、ＣＤ−ＲＯＭ（Compact Disc ROM）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。補助記憶装置１００３は、補助記憶装置と呼ばれてもよい。上述の記憶媒体は、例えば、記憶装置１００２及び／又は補助記憶装置１００３を含むデータベース、サーバその他の適切な媒体であってもよい。
【００６３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局装置１００の送信部１１０及び受信部１２０は、通信装置１００４で実現されてもよい。また、ユーザ装置２００の送信部２１０及び受信部２２０は、通信装置１００４で実現されてもよい。
【００６４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【００６５】
また、プロセッサ１００１及び記憶装置１００２などの各装置は、情報を通信するためのバス１００７で接続される。バス１００７は、単一のバスで構成されてもよいし、装置間で異なるバスで構成されてもよい。
【００６６】
また、基地局装置１００及びユーザ装置２００はそれぞれ、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６７】
（実施の形態のまとめ）
以上、説明したように、本発明の実施の形態によれば、第１のＲＡＴ及び第２のＲＡＴを使用して基地局装置と通信を行うユーザ装置であって、前記ユーザ装置がサポートするバンドコンビネーションの候補となるバンドを示す第１の情報を前記基地局装置から受信する受信部と、前記第１の情報に基づいて、前記第１のＲＡＴで使用されるバンド及び前記第２のＲＡＴで使用されるバンドを含むバンドコンビネーションが先頭に含まれるリストを含む第２の情報を含む端末能力情報を生成する生成部と、生成された前記端末能力情報を前記基地局装置に送信する送信部とを有するユーザ装置が提供される。
【００６８】
上記の構成により、複数のＲＡＴを利用する無線通信システムで実行されるデュアルコネクティビティに適用可能であるバンドコンビネーションの通知を行うことができる。
【００６９】
前記第１の情報に基づいて、前記第１のＲＡＴで使用されるバンドから構成される第１のリスト及び前記第２のＲＡＴで使用されるバンドから構成される第２のリストが生成され、前記第１のリスト及び前記第２のリストに基づいて、前記第２の情報が生成されてもよい。当該構成により、ユーザ装置２００は、複数のＲＡＴを利用する無線通信システムで実行されるデュアルコネクティビティに適用可能であるバンドコンビネーションの通知を行うことができる。
【００７０】
前記第２の情報は、前記第１のリストのバンドの順が優先されて生成されてもよい。当該構成により、サポートするバンドコンビネーションのリストの順に優先するＲＡＴのバンドを反映することができる。
【００７１】
前記第２の情報は、前記第２のリストのバンドの順が優先されて生成されてもよい。当該構成により、サポートするバンドコンビネーションのリストの順に優先するＲＡＴのバンドを反映することができる。
【００７２】
前記第２の情報は、前記第１のリストのバンドと前記第２のリストのバンドとが、交互に優先されて生成されてもよい。当該構成により、サポートするバンドコンビネーションのリストの順に、複数のＲＡＴのバンドを交互に配置することができる。
【００７３】
また、本発明の実施の形態によれば、第１のＲＡＴ及び第２のＲＡＴを使用してユーザ装置と通信を行う基地局装置であって、前記ユーザ装置がサポートするバンドコンビネーションの候補となるバンドを示す第１の情報を前記ユーザ装置に送信する送信部と、前記第１の情報に基づいて、前記第１のＲＡＴで使用されるバンド及び前記第２のＲＡＴで使用されるバンドを含むバンドコンビネーションが先頭に含まれるリストを含む第２の情報を含む端末能力情報を前記ユーザ装置から受信する受信部と、受信された前記端末能力情報に基づいて、前記ユーザ装置との通信を制御する管理部とを有する基地局装置が提供される。
【００７４】
上記の構成により、複数のＲＡＴを利用する無線通信システムで実行されるデュアルコネクティビティに適用可能であるバンドコンビネーションの通知を行うことができる。
【００７５】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１００及びユーザ装置２００は機能的なブロック図を用いて説明されたが、そのような装置はハードウェアで、ソフトウェアで又はそれらの組み合わせで実現されてもよい。本発明の実施の形態に従って基地局装置１００が有するプロセッサにより動作するソフトウェア及び本発明の実施の形態に従ってユーザ装置２００が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７６】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００７７】
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７８】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７９】
本明細書において基地局装置１００によって行われるとした特定動作は、場合によってはその上位ノード（upper node）によって行われることもある。基地局装置１００を有する１つ又は複数のネットワークノード（network nodes）からなるネットワークにおいて、ユーザ装置２００との通信のために行われる様々な動作は、基地局装置１００及び／又は基地局装置１００以外の他のネットワークノード（例えば、ＭＭＥ又はＳ−ＧＷなどが考えられるが、これらに限られない）によって行われ得ることは明らかである。上記において基地局装置１００以外の他のネットワークノードが１つである場合を例示したが、複数の他のネットワークノードの組み合わせ（例えば、ＭＭＥ及びＳ−ＧＷ）であってもよい。
【００８０】
本明細書で説明した各態様／実施形態は単独で用いてもよいし、組み合わせて用いてもよいし、実行に伴って切り替えて用いてもよい。
【００８１】
ユーザ装置２００は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００８２】
基地局装置１００は、当業者によって、ＮＢ（NodeB）、ｅＮＢ（enhanced NodeB）、ｇＮＢ、ベースステーション（Base Station）、又はいくつかの他の適切な用語で呼ばれる場合もある。
【００８３】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベース又は別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００８４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８５】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【００８６】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【００８７】
なお、本発明の実施の形態において、第１のＲＡＴ及び第２のＲＡＴは、ＮＲ及びＥ−ＵＴＲＡの一例である。第１のリスト及び第２のリストは、「ＮＲバンドリスト」及び「Ｅ−ＵＴＲＡバンドリスト」の一例である。端末能力生成部２４０は、生成部の一例である。端末能力管理部１４０は、管理部の一例である。ＵＥＣａｐａｂｉｌｉｔｙＩｎｆｏｒｍａｔｉｏｎは、端末能力情報の一例である。「ｒｅｑｕｅｓｔｅｄＦｒｅｑＢａｎｄＬｉｓｔ」は、第１の情報の一例である。「ｓｕｐｐｏｒｔｅｄＢａｎｄＣｏｍｂｉｎａｔｉｏｎ」は、第２の情報の一例である。
【００８８】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８９】
本国際特許出願は２０１８年１月２５日に出願した日本国特許出願第２０１８−０１０６２５号に基づきその優先権を主張するものであり、日本国特許出願第２０１８−０１０６２５号の全内容を本願に援用する。
【符号の説明】
【００９０】
１００      基地局装置
２００      ユーザ装置
１１０      送信部
１２０      受信部
１３０      設定情報管理部
１４０      端末能力管理部
２００      ユーザ装置
２１０      送信部
２２０      受信部
２３０      設定情報管理部
２４０      端末能力生成部
１００１    プロセッサ
１００２    記憶装置
１００３    補助記憶装置
１００４    通信装置
１００５    入力装置
１００６    出力装置
【図１】
2019146542.tif 000003
【図２】
2019146542.tif 000004
【図３】
2019146542.tif 000005
【図４】
2019146542.tif 000006
【図５】
2019146542.tif 000007
【図６】
2019146542.tif 000008
【図７】
2019146542.tif 000009
【図８】
2019146542.tif 000010
【図９】
2019146542.tif 000011
【図１０】
2019146542.tif 000012
【図１１】
2019146542.tif 000013
【図１２】
2019146542.tif 000014
【国際調査報告】
2019146542.tif 000015
2019146542.tif 000016
2019146542.tif 000017
2019146542.tif 000018